(57)【特許請求の範囲】
【請求項１】
家具本体にオプション取付装置を介してオプション部材を取付可能に構成した家具であって、
前記オプション部材が、
オプション本体と、
オプション本体に供給すべき電力を受電するための受電用電極を備えた挿入部と
を具備し、
前記オプション取付装置が、
前記挿入部が挿入される開口部を有しかつ開口部の内側に前記受電用電極が接触する給電用電極を備えた給電レールと、
前記給電レールの長手方向に沿って設けられ前記受電用電極が前記給電用電極に接触しているか接触していないかを問わず前記オプション本体を機械的に支持してその脱落を抑止するとともに、オプション本体の支持位置を長手方向に沿って任意に変更可能としている支持レールと
を具備することを特徴とする家具。
【請求項２】
前記オプション本体を前記支持レールに支持させたままの状態で、前記挿入部が、前記受電用電極を前記給電用電極に電気的に接続させる接続位置と、受電用電極を給電用電極から電気的に遮断する遮断位置との間で変位可能である請求項１記載の家具。
【請求項３】
前記オプション本体を前記支持レールに対して取り外し不能にロックするロック機構を有する請求項１又は２記載の家具。
【請求項４】
前記ロック機構が、前記挿入部の動作を利用して前記オプション本体を前記支持レールに対して取り外し不能にロックするものである請求項３記載の家具。
【請求項５】
前記ロック機構が、前記オプション本体と別体をなすロック部材と、前記オプション本体が前記支持レールから外れることを禁止しうる位置に前記ロック部材を着脱可能に取り付けるための止着具とを具備してなる請求項３記載の家具。
【請求項６】
前記家具本体が天板を有する天板付家具であり、前記オプション取付装置を前記天板の反使用端側に設置している請求項１、２、３、４又は５記載の家具。
【請求項７】
前記オプション取付装置を、クランプを介して前記天板の反使用端側に取り付けている請求項６記載の家具。
【請求項８】
請求項１、２、３、４、５、６又は７記載の家具を構成するために用いられるものであって、
オプション部材の挿入部が挿入される開口部を有しかつ開口部の内側に受電用電極が接触する給電用電極を備えた給電レールと、
前記受電用電極が前記給電用電極に接触しているか接触していないかを問わずオプション部材のオプション本体を機械的に支持してその脱落を抑止するとともに、オプション本体の支持位置を長手方向に沿って任意に変更可能としている支持レールと
を具備するオプション取付装置。
【請求項９】
請求項１、２、３、４、５、６又は７記載の家具を構成するために用いられるものであって、
オプション取付装置の支持レールに機械的に支持されるオプション本体と、
前記オプション本体に設けられオプション取付装置の給電レールに挿入される受電用電極を備えた挿入部と
を具備するオプション部材。
【発明の詳細な説明】
【技術分野】
【０００１】
本発明は、家具本体にオプション取付装置を介してオプション部材を取付可能に構成した家具に関する。
【背景技術】
【０００２】
従来より、長手方向に延伸し内側に給電用電極を備えた給電レールに照明装置等のオプション部材の挿入部を挿入することにより、オプション部材を長手方向に沿って移動可能に取り付けることができる構造が知られている（例えば、特許文献１を参照）。挿入部には予め受電用電極が設けられていて、オプション部材を取り付けた際にこの受電用電極が給電用電極に電気的に接続される。
【０００３】
上記の構造では、給電レールが、オプション部材に給電するだけでなく、オプション部材を機械的に支持する役割をも担うこととなる。このようなものであると、例えば、オプション部材の重量が大きい場合や、側方に開口した給電レールに側方からオプション部材を取り付ける場合において、給電レール又はオプション部材の挿入部が過大な荷重を受けて変形する等するおそれがある。
【先行技術文献】
【特許文献】
【０００４】
【特許文献１】特開２００８−３０５７３７号公報
【発明の概要】
【発明が解決しようとする課題】
【０００５】
本発明は、給電レール自体にオプション部材を機械的に支持させることによる不具合を回避することを目的とする。
【課題を解決するための手段】
【０００６】
すなわち本発明に係る家具は、家具本体にオプション取付装置を介してオプション部材を取付可能に構成した家具であって、前記オプション部材が、オプション本体と、オプション本体に供給すべき電力を受電するための受電用電極を備えた挿入部とを具備し、前記オプション取付装置が、前記挿入部が挿入される開口部を有しかつ開口部の内側に前記受電用電極が接触する給電用電極を備えた給電レールと、前記給電レールの長手方向に沿って設けられ前記受電用電極が前記給電用電極に接触しているか接触していないかを問わず前記オプション本体を機械的に支持してその脱落を抑止するとともに、オプション本体の支持位置を長手方向に沿って任意に変更可能としている支持レールとを具備することを特徴とする。
【０００７】
本発明では、主として支持レールにオプション本体を支持させるようにして、オプション部材の取り付けを行っている。これにより、給電レール自体にオプション部材の支持を担わせる従前の態様と比較して、給電レール又はオプション部材の挿入部に加わる負荷を軽減することができる。
【０００８】
特に、前記オプション本体を前記支持レールに支持させたままの状態で、前記挿入部が、前記受電用電極を前記給電用電極に電気的に接続させる接続位置と、受電用電極を給電用電極から電気的に遮断する遮断位置との間で変位可能であるものであれば、挿入部を遮断位置とすることで、オプション部材を一時的に使用しない場合等に、オプション部材をオプション取付装置に取り付けたままでオプション部材への通電を遮断することができる。
【０００９】
また、前記オプション本体を前記支持レールに対して取り外し不能にロックするロック機構を有するものであれば、オプション部材の使用中に不用意にオプション部材がオプション取付装置から脱落することがなくなる。
【００１０】
このようなロック機構の一例として、前記挿入部の動作を利用して前記オプション本体を前記支持レールに対して取り外し不能にロックするものが挙げられる。
【００１２】
また、ロック機構の他の一例として、前記オプション本体と別体をなすロック部材と、前記オプション本体が前記支持レールから外れることを禁止しうる位置に前記ロック部材を着脱可能に取り付けるための止着具とを具備してなるものが挙げられる。
【００１３】
前記家具本体が天板を有する天板付家具であり、前記オプション取付装置を前記天板の反使用端側に設置しているものであれば、天板付家具の反使用端側に種々のオプション部材を取り付け可能となる。
【００１４】
特に、前記オプション取付装置を、クランプを介して前記天板の反使用端側に取り付けているものであれば、天板を有するどのような天板付家具にも、天板にクランプを介してオプション取付装置を取り付けることにより、このオプション取付装置を介してオプション部材を取り付けることができる。
【発明の効果】
【００１５】
本発明によれば、主として支持レールにオプション部材を機械的に支持させているので、給電レール自体にオプション部材を支持させることによる不具合を回避することが可能である。
【図面の簡単な説明】
【００１６】
【図１】本発明の第一実施形態に係る家具を示す斜視図。
【図２】同実施形態に係るタスクライトの取付態様を示す分解斜視図。
【図３】同実施形態に係るタスクライトの取付態様を示す分解斜視図。
【図４】同実施形態に係るオプション取付装置へのタスクライトの取付部位を示す横断面図。
【図５】同実施形態に係るオプション取付装置へのタスクライトの取付部位を示す横断面図。
【図６】同実施形態に係るタスクライトの挿入部を示す平面図。
【図７】本発明の第二実施形態に係る照明装置の取付態様を示す斜視図。
【図８】同実施形態に係る照明装置の取付態様を示す分解斜視図。
【図９】同実施形態に係るオプション取付装置の取付態様を示す横断面図。
【図１０】同実施形態に係るオプション取付装置への人感センサ部の取付部位を示す横断面図。
【図１１】同実施形態に係るオプション取付装置への基台の取付部位を示す横断面図。
【図１２】同実施形態に係る照明装置の人感センサ部の挿入部を示す斜視図。
【図１３】本発明の他の実施態様に係るオプション取付装置へのタスクライトの取付部位を示す横断面図。
【図１４】本発明の他の実施態様に係る照明装置の取付態様を示す分解斜視図。
【図１５】本発明の他の実施態様に係るオプション取付装置への基台の取付部位を示す横断面図。
【図１６】本発明の他の実施態様に係るタスクライトの取付態様を示す分解斜視図。
【発明を実施するための形態】
【００１７】
以下、本発明の第一実施形態を、図１〜図６を参照して説明する。
【００１８】
本実施形態は、図１に示すように、天板１１を有する家具本体たる天板付家具１に、第一のオプション取付装置２を介してオプション部材たるタスクライト４を取り付け可能に構成した家具である。
【００１９】
天板付家具１は、図１に示すように、天板１１と、この天板１１を支持する脚構造体１２とを有する。本実施形態では、前後に対をなす天板１１の反使用端縁同士を対向させた状態で配しており、天板１１間に配線挿通空間を形成している。この配線挿通空間の左右両端近傍からは、支柱１３を上方に起立させて設けている。支柱１３は、デスクトップパネル１４や、支柱１３の上端部同士を連結する笠木１５等を支持する。
【００２０】
第一のオプション取付装置２は、前記図１に示すように、上記支柱１３間に架け渡すように支柱１３に固定してある。第一のオプション取付装置２は、支持レール２１と、給電レール２２とを具備する。
【００２１】
支持レール２１は、タスクライト４を機械的に支持するためのものであって、等断面形状をなしつつ巾方向に伸長している。この支持レール２１は、上下方向に離間して対向した頂板２１１及び底板２１２と、頂板２１１及び底板２１２の後部同士を連結する背板２１３とを有しており、前方に開口する概略チャネル状をなす。
【００２２】
頂板２１１の下面には、下方に突出した突条２１１ａを設けている。頂板２１１の前端縁部は、下方に屈曲させて係止爪２１１ｂとしている。
【００２３】
底板２１２の上面には、上方に突出した突条２１２ａを設けている。この突条２１２ａは、頂板２１１に設けた突条２１１ａと上下に対向している。また、底板２１２の前縁２１２ｂは、頂板２１１の前端縁部の係止爪２１１ｂよりも後方に退避している。
【００２４】
背板２１３は、上下方向の中間部が後方に屈曲して凹んでいる。
給電レール２２は、外部から直流電力の供給を受け、タスクライト４に給電するための給電用電極２３ａを備えている。この給電レール２２も、等断面形状をなしつつ巾方向に伸長している。また、給電レール２２は、側断面視概略Ｓ字状をなしていて、この上半部又は下半部（図示例では、下半部）に前記タスクライト４の後述する電極支持板４１３を挿入させるための開口部２２ａを有している。開口部２２ａの内周面、詳述すると上壁面及び下壁面の一方には、正極となる給電用電極２３ａ、他方には、負極となる給電用電極２３ｂをそれぞれ設けている。さらに具体的には、開口部２２ａ内に、上壁部及び下壁部を有するとともに、上壁面及び下壁面の一方に正極となる給電用電極２３ａ、他方に負極となる給電用電極２３ｂを形成してなる電極部材２３を挿入している。正極となる給電用電極２３ａの奥行き方向位置と、負極となる給電用電極２３ｂの奥行き方向位置とは異ならせている。また、電極部材２３のその他の部位は絶縁体、例えば樹脂により形成している。給電レール２２の開口部２２ａ及び給電用電極２３ａ、２３ｂは、巾方向に連続的に延伸している。また、給電レール２２の上面及び下面の前部には、支持レール２１の頂板２１１及び底板２１２に設けた突条２１１ａ、２１２ａに衝き当ててこの給電レール２２の位置決めを行うための前突条２２ｂを設けている。また、給電レール２２の上面及び下面の後部には、支持レール２１の背板２１３に衝き当ててこの給電レール２２の位置決めを行うための後突条２２ｃを設けている。また、本実施形態では、図４に示すように、給電レール２２の上半部に上開口部２２ｘを設けていて、この上開口部２２ｘに外部の蓄電池等の直流電源に接続してなるプラグ２４を挿入している。このプラグは、給電用電極２４ａ、２４ｂを備えている。そして、この給電用電極２４ａ、２４ｂを上開口部２２ｘ内に設けた受電用電極２３ｘ、２３ｙに接続している。上開口部２２ｘ内に設けた受電用電極２３ｘ、２３ｙは、第一のオプション取付装置２の端部のキャップに設けた図示しない導電体により、給電レール２２の下半部に設けた開口部２２ａ内の給電用電極２３ａ、２３ｂにそれぞれ接続している。なお、図５では、プラグ２４は省略して示している。
【００２５】
タスクライト４は、図２、図３、図４、及び図５に示すように、光源部４１と、光源部４１の上方かつ天板１１の使用端縁に向かう側に配してなる笠４２と、光源部４１を移動させるための操作力を受け付ける操作つまみ４３とを具備する。
【００２６】
光源部４１は、複数個のＬＥＤ素子を透明なケースの内部に収納してなる光源保持枠４１１と、この光源保持枠４１１の下方に離間して設けてなり笠４２の後述する位置決め材４２３の後方に配置可能な位置決め板４１２と、光源保持枠４１１から後方に延伸してなる板状の電極支持板４１３とを有する。この光源部４１が本発明の挿入部である。一方、笠４２が本発明のオプション本体である。
【００２７】
電極支持板４１３には、図３及び図６に示すように、光源部４１のＬＥＤ素子の正極及び負極にそれぞれ電気的に接続した一対の受電用電極４１３ａ、４１３ｂを設けている。ここで、正極となる受電用電極４１３ａの奥行き方向位置と負極となる受電用電極４１３ｂの奥行き方向位置とは異ならせている。すなわち、正極となる受電用電極４１３ｂは正極となる給電用電極２３ａにのみ、また、負極となる受電用電極４１３ｂは負極となる給電用電極２３ｂにのみ接続可能にしている。さらに、この電極支持板４１３には、給電レール２２に設けた凹部２２ｄに係り合うことが可能な係止爪４１３ｃを設けている。この係止爪４１３ｃは、給電レール２２に衝き当たった状態で、電極支持板４１３の前後動に伴い弾性変形して退避することが可能である。
【００２８】
笠４２は、光源保持枠４１１の上方に配してなる笠本体４２１と、この笠本体４２１の左右両端から垂下して設けた笠側板４２２と、この笠側板４２２の後下端部同士を接続する位置決め材４２３とを有する。笠本体４２１の後端には、オプション取付装置２の支持レール２１の係止爪２１１ｂに係り合うことが可能な係合凹部４２ａを設けている。また、この係合凹部４２ａの前方には、弾性変形により係合凹部４２ａを下方に退避可能にすべく薄肉部４２ｂを設けている。ここで、係合凹部４２ａと係止爪２１１ｂとを係り合わせ、位置決め材４２３を支持レール２１の底板２１２と給電レール２２との間の隙間に挿入させることにより、これら係合凹部４２ａ、位置決め材４２３、係止爪２１１ｂ、底板２１２及び給電レール２２が、受電用電極４１３ａ、４１３ｂが給電用電極２３ａ、２３ｂに接触しているか接触していないかを問わずこのタスクライト４を機械的に支持してその脱落を抑止する係止部として機能する。
【００２９】
操作つまみ４３は、光源部４１の下面に接する取付板４３ａと、この取付板４３ａの前端から垂下して設けたつまみ本体４３ｂとを有する。さらに、この操作つまみ４３の両側端には、笠４２の笠側板４２２に設けた長孔４２ｄに係り合うことが可能なピン４３ｄを備えたつまみ支持板４３ｃを一体に設けている。タスクライト４をオプション取付装置２に取り付けた状態でつまみ本体４３ｂが操作力を受けると、光源部４１及び操作つまみ４３が、前記受電用電極４１３ａ、４１３ｂをオプション取付装置２の給電用電極２３ａ、２３ｂに電気的に接続させる図４に示すような接続位置Ｃと、受電用電極４１３ａ、４１３ｂをオプション取付装置２の給電用電極２３ａ、２３ｂから電気的に遮断する図５に示すような遮断位置Ｓとの間で変位する。
【００３０】
光源部４１及び操作つまみ４３を接続位置Ｃに配した状態では、図４に示すように、笠４２の係合凹部４２ａの下方に設けた突起４２ｅが光源部４１の上面に突き当たる一方、光源部４１の下面が笠４２の下部に設けた位置決め材４２３に突き当たることにより、係合凹部４２ａ及び薄肉部４２ｂの弾性変形が阻まれる。このことにより、笠４２の抜き取り動作が規制され、笠４２が前記支持レール２１に対して取り外し不能となる。すなわち、これらが協働して、笠４２を前記支持レール２１に対して取り外し不能にロックするロック機構として機能する。
【００３１】
このようなタスクライト４を第一のオプション取付装置２に取り付ける際には、以下の手順を行う。
【００３２】
まず、操作つまみ４３を遮断位置Ｓに配する。次いで、電極支持板４１３を給電レール２２の開口部２２ａに挿入する。それから、笠４２の係合凹部４２ａを支持レール２１の係止爪２１１ｂに係り合わせる。
【００３３】
しかる後に、タスクライト４を使用する際には、操作つまみ４３を接続位置Ｃに移動させ、受電用電極４１３ａ、４１３ｂと給電用電極２３ａ、２３ｂとを電気的に接続する。
【００３４】
タスクライト４の使用を一時的に中止する際には、操作つまみ４３を遮断位置Ｓに移動させ、受電用電極４１３ａ、４１３ｂと給電用電極２３ａとを電気的に遮断する。
【００３５】
そして、タスクライト４を取り外す際には、以下の手順を行う。
【００３６】
まず、操作つまみ４３を遮断位置Ｓに配する。次いで、笠４２の前端部を下方に移動させる。このとき、笠４２の係合凹部４２ａ近傍が弾性変形を伴って下方に弾性変形して退避し、係合凹部４２ａと支持レール２１の係止爪２１１ｂとの係り合いが解除される。そして、タスクライト４を前方に抜き取る。
【００３７】
本実施形態では、第一のオプション取付装置２の支持レール２１にタスクライト４を支持させるようにして、タスクライト４の取り付けを行っている。その上、受電用電極４１３ａ、４１３ｂが給電用電極２３ａ、２３ｂに接触しているか接触していないかを問わず笠４２を機械的に支持してその脱落を抑止している。これにより、給電レール２２自体にタスクライト４の支持を担わせる従前の態様と比較して、給電レール２２及びタスクライト４の電極支持板４１３に加わる負荷を軽減することができる。
【００３８】
また、タスクライト４を支持レール２１に支持させた状態で、電極支持板４１３が、受電用電極４１３ａ、４１３ｂを給電用電極２３ａ、２３ｂに電気的に接続させる接続位置Ｃと、受電用電極４１３ａ、４１３ｂを給電用電極２３ａ、２３ｂから電気的に遮断する遮断位置Ｓとの間で変位可能であるので、タスクライト４を一時的に使用しない場合等に、タスクライト４をオプション取付装置２に取り付けたままでタスクライト４への通電を遮断する操作が可能となる。
【００３９】
加えて、光源部４１及び操作つまみ４３が接続位置Ｃにあるときに、係合凹部４２ａ及び薄肉部４２ｂの弾性変形が阻まれる。このことにより、タスクライト４の抜き取り動作が規制され、タスクライト４が前記支持レール２１に対して取り外し不能となるので、タスクライト４の使用中に不用意にタスクライト４がオプション取付装置２から脱落することがなくなる。
【００４０】
そして、第一のオプション取付装置２を前記天板１１の反使用端側に設置しているので、タスクライト４を第一のオプション取付装置２に取り付けることにより、天板面を効果的に照明することができる。
【００４１】
次に、本発明の第二実施形態を、図１及び図７〜図１１を参照して説明する。なお、前述した第一実施形態におけるものに対応する部位には、同一の名称及び符号を付している。
【００４２】
本実施形態は、図１に示すように、天板１１を有する家具本体たる天板付家具１に、第二のオプション取付装置３を介してオプション部材たる照明装置５を取り付け可能に構成した家具である。
【００４３】
天板付家具１は、上述した第一実施形態におけるものと同様の構成を有するので、詳細な説明は省略する。
【００４４】
第二のオプション取付装置３は、図９に示すように、クランプ３５を介して天板１１の反使用端縁に固定してある。第二のオプション取付装置３も、支持レール３１と、給電レール３２とを具備する。これら支持レール３１及び給電レール３２は、上述した第一のオプション取付装置２におけるものと同様の構成を有するので、詳細な説明は省略する。以下の説明においては、これら支持レール３１及び給電レール３２の各部位には、第一のオプション取付装置２におけるものと同一の名称を付し、上一桁目の２を３に替えた符号を付している。また、本実施形態では、図９に示すように、給電レール３２の上半部に上開口部３２ｘを設けていて、この上開口部３２ｘに外部の蓄電池等の直流電源に接続してなるプラグ３４を挿入している。このプラグ３４も、上述した第一実施形態におけるにプラグ３４と同様の構成を有するので、詳細な説明は省略する。また、図１０および図１１では、プラグ３４は省略して示している。
【００４５】
照明装置５は、図１及び図７に示すように、給電レール３２から電力の供給を受けるための受電用電極６３ａ、６３ｂを備えている挿入部６３と、前記挿入部６３と一体をなしてこれを支持する中継部たる人感センサ部６と、人感センサ部６とは別体をなし、給電レール３２の長手方向に沿って人感センサ部６に隣接して所定の機能を発揮する機能部と、人感センサ部６における機能部に当接する側面に設けられ、前記受電用電極を介して受電した電力を出力する給電端子たる給電ソケット６２と、機能部における人感センサ部６に当接する側面に設けられ、給電ソケット６２から出力される電力を受けて機能部に供給する受電端子たる受電プラグ７３とを具備する。ここで、この照明装置５の挿入部６３以外の部分が本発明のオプション部材本体である。
【００４６】
機能部は、支持レール３１に支持させてなるとともに人感センサ部６に対して着脱自在であり人感センサ部６を経由して電力の供給を受ける基台７と、この基台７から起立して設けたアーム８と、このアーム８の上端に支持させてなる取付レール部９と、この取付レール部９に取り付けてなるタスクライト４とを有する。
【００４７】
人感センサ部６は、図８、図１０及び図１２に示すように、ユーザの所在を検知する人感センサ６１と、この人感センサ６１がユーザの所在を検知していることを条件として前記照明部に通電するスイッチング素子６０とを備えた概略直方体状の部材である。そして、この人感センサ部６の後上端に支持レール３１の頂板３１１の係止爪３１１ｂに係り合うことが可能な上支持凹部６４を設けてなるとともに、この人感センサ部６の後下端に支持レール３１の底板３１２と給電レール３２との間の隙間に挿入させてなる下支持突条６５を設けてなる。上支持凹部６４の前方の部位には、弾性変形によりこの上支持凹部６４が下方に退避できるようにすべく薄肉部を設けている。ここで、スイッチング素子６０としては、トランジスタ等の半導体スイッチや、リレー等が用いられる。また、この人感センサ部６には、背面から後方に延伸させて設けられ給電レール３２の給電用電極３３ａ、３３ｂにそれぞれ接続可能な一対の受電用電極６３ａ、６３ｂを有する挿入部６３を設けている。
【００４８】
挿入部６３は、図１２に示すように、給電レール３２の給電用電極３３ａ、３３ｂにそれぞれ接続可能な一対の受電用電極６３ａ、６３ｂを設けている。ここで、正極となる受電用電極６３ａの奥行き方向位置と負極となる受電用電極６３ｂの奥行き方向位置とは異ならせている。すなわち、正極となる受電用電極６３ａは正極となる給電用電極３３ａにのみ、また、負極となる受電用電極６３ｂは負極となる給電用電極３３ｂにのみ接続可能にしている。そして、これら一対の受電用電極６３ａ、６３ｂを、給電ソケット６２の両電極にそれぞれ電気的に接続している。加えて、この挿入部６３にも、給電レール３２に設けた凹部３２ｄに係り合うことが可能な係止爪６３ｃを設けている。この係止爪６３ｃも、給電レール３２に衝き当たった状態で、挿入部６３の前後動に伴い弾性変形して退避することが可能である。
【００４９】
給電ソケット６２は、人感センサ部６の基台７に対向して当接する面に設けられ、挿入部６３が給電用電極３３ａ、３３ｂを介して受電した電力を出力する。
【００５０】
受電プラグ７３は、基台７の人感センサ部６に対向して当接する面から突出した状態で設けられ、人感センサ部６の給電ソケット６２に直接挿入することにより電気的に接続可能である。この受電プラグ７３は、基台７を支持レール３１に支持させた状態で、支持レール３１及び給電レール３２の長手方向に沿って伸長している。
【００５１】
基台７は、図８及び図１１に示すように、後上端に支持レール３１の頂板３１１の突条３１１ｂに係り合うことが可能な上支持突条７１を設けてなるとともに、後下端に支持レール３１の底板３１２と給電レール３２との間の隙間に挿入させてなる下支持突条７２を設けてなる略直方体状の部材である。また、この基台７の上面には、前記アーム８を回転可能に支持するためのアーム支持部７４を設けている。
【００５２】
アーム８は、図１に示すように、基端部を基台７のアーム支持部７４に支持させてなる。また、このアーム８は、傾斜を有して上方に延伸している。そして、アーム８の上端部に取付レール部９を支持させている。
【００５３】
取付レール部９は、上述した第一のオプション取付装置２及び第二のオプション取付装置３とほぼ同様の構成を有する。すなわち、この取付レール部９は、上述した第二のオプション取付装置３の支持レール３１と同様の構成を有する補助支持レール９１と、上述した第二のオプション取付装置３の給電レール３２と同様の構成を有する補助給電レール９２とを具備する。ここで、この補助給電レール９２は、図示はしないが、タスクライト４の電極支持板４１３を挿入させるための開口部を有している。この開口部内には、上述した第一実施形態における電極部材２３と同様の構成を有する電極部材を設けていて、この電極部材の上壁面及び下壁面の一方には、正極となる給電用電極、他方には、負極となる給電用電極をそれぞれ設けている。これら一対の給電用電極は、受電プラグ及び給電ソケット６２を介して人感センサ部６の挿入部６３の受電用電極６３ａ、６３ｂに電気的に接続している。
【００５４】
前記タスクライト４は、上述した第一実施形態におけるタスクライト４と同一の構成を有する。すなわち、このタスクライト４の挿入部６３を補助給電レール３２の開口部に挿入し、補助給電レール３２の給電用電極と挿入部６３の受電用電極６３ａ、６３ｂとを接続することにより、タスクライト４に電力を供給可能にしている。
【００５５】
このような照明装置５を利用して天板面上を照明する際には、以下の手順により照明装置５を第二のオプション取付装置３に装着する。
【００５６】
まず、前記基台７を、第二のオプション取付装置３の支持レール３１の所望の位置に支持させる。
【００５７】
次いで、人感センサ部６の給電ソケット６２を基台７の受電プラグ７３に対向させた姿勢で、人感センサ部６を支持レール３１に支持させる。
【００５８】
そして、人感センサ部６を基台７に接近させ、受電プラグ７３を給電ソケット６２に直接挿入する。
【００５９】
なお、本実施形態のタスクライト４は、前述した第一実施形態のタスクライト４と同一のものであるので、取付レール部９から取り外して第一のオプション取付装置２に取り付け可能である。取付レール部９に対するタスクライト４の着脱の手順は、前述した第一のオプション取付装置２に対するタスクライト４の着脱の手順と同一である。
【００６０】
本実施形態では、支持レール３１に人感センサ部６及び基台７を機械的に支持させるようにして、照明装置５の取り付けを行っている。その上、受電用電極６３ａ、６３ｂが給電用電極３３ａ、３３ｂに接触しているか接触していないかを問わず人感センサ部６及び基台７を機械的に支持してその脱落を抑止している。これにより、給電レール３２自体に照明装置５の支持を担わせる従前の態様と比較して、給電レール３２及び人感センサ部６の挿入部６３に加わる負荷を軽減することができる。
【００６１】
また、人感センサ部６に設けた給電ソケット６２と基台７に設けた受電プラグ７３とを接続することにより、給電レール３２から人感センサ部６を経てタスクライト４に電力を供給するようにしているので、人感センサ部６と基台７との間の配線を露出させることなくこれら人感センサ部６と基台７とを電気的に接続し、外観を整えることができる。
【００６２】
さらに、人感センサ部６が、ユーザの所在を検知する人感センサ６１と、この人感センサ６１がユーザの所在を検知していることを条件として基台７及び取付レール部９を経てタスクライト４に通電するスイッチング回路とを備えているので、ユーザが離席した際等に、タスクライト４への通電を自動的に遮断できる。従って、電力消費の節減を図ることができる。
【００６３】
前記オプション取付装置３が、少なくとも基台７を機械的に支持するとともに基台７の位置を長手方向に沿って任意に変更可能な支持レール３１を具備するので、給電レール３２とは別の支持レール３１に基台７を機械的に支持させることにより、この基台７を含む照明装置５をより安定して保持させることができる。
【００６４】
そして、前記人感センサ部６及び基台７が、ともに支持レール３１に支持されるとともに支持レール３１に沿ってスライド可能であるので、上述したような取付操作、すなわち、予め基台７、アーム８、取付レール及びタスクライト４を併せたものを支持レール３１の所望の位置に取り付け、しかる後に人感センサ部６をオプション取付装置３に取り付け、人感センサ部６をスライドさせて基台７に電気的に接続させるという取付操作が可能になる。従って、このような照明装置５の取り付けを容易に行うことができる。
【００６５】
加えて、クランプ３５を介して天板１１にオプション取付装置３を取り付けているので、天板付家具１家具に支柱１３等を設けない場合であっても、天板１１にクランプ３５を介してオプション取付装置３を取り付けることにより、このオプション取付装置３を介して照明装置５を取り付けることができる。
【００６６】
なお、本発明は以上に述べた実施形態に限らない。
【００６７】
例えば、オプション部材として照明装置以外のもの、例えば扇風機、カップウォーマ、充電器等のものを取り付け可能に構成してもよい。
【００６８】
また、挿入部とは別の箇所に、オプション本体を前記支持レールに対して離脱不能にロックするロック機構を設けてもよい。
【００６９】
加えて、挿入部をオプション本体に対して固定して設けてもよい。
【００７０】
さらに、図１３に示すように、支持レールＸ２１と給電レールＸ２２とを一体に構成し、給電レールＸ２２の開口部Ｘ２２ａではなく支持レールＸ２１の例えば頂板Ｘ２１の係止爪Ｘ２１１ｂ及び底板Ｘ２１２にタスクライト４等のオプション部材を機械的に支持させる態様を採用してもよい。なお、図１３に示す例において、タスクライト４は上述した第一及び第二実施形態に係るものと同一の構成を有する。
【００７１】
そして、前述した第二実施形態では、中継部たる人感センサ部６に設けた給電ソケット６３と機能部の基台７に設けた受電プラグ７２とを直接接続することにより、給電ソケット６３と機能部とを電気的に接続するようにしているが、図１４に示すように、電源コード７９を介して中継部たる人感センサ部６と機能部（の基台７）とを電気的に接続するようにしてもよい。なお、図１４に示す例において、オプション取付装置３は上述した第二実施形態におけるものと同一の構成を有する。また、人感センサ部６及び基台７のその他の部位も、上述した第二実施形態におけるものと同一の構成を有する。
【００７２】
加えて、前述した第二実施形態のオプション本体の基台７に替えて、図１５に示すような基台Ｙ７を設け、さらに、この基台Ｙ７をオプション取付装置３の支持レール３１に対して取り外し不能にロックするロック機構Ｒを設けてもよい。図１５に示す構成の照明器具は、オプション部材の基台Ｙ７以外全て前述した第二実施形態に係る照明器具５と同様の構成を有し、前述した第二実施形態に係るものと同様の構成を有するオプション取付装置３に取り付けてなる。このオプション取付装置３は、クランプ３５を介して天板１１の反使用端縁に固定してある。以下の説明においては、第二実施形態に係る照明器具５及びオプション取付装置３におけるものに対応する各部位には同一の名称及び符号を付している。
【００７３】
図１５に示す基台Ｙ７は、後上端に支持レール３１の頂板３１１の突条３１１ｂに係り合うことが可能な上支持突条Ｙ７１を設けてなる部材である。また、この基台Ｙ７は、上面にアーム８を回転可能に支持するためのアーム支持部Ｙ７４を有している。
【００７４】
ロック機構Ｒは、基台Ｙ７と別体をなすロック部材たるロック板Ｒ１と、ロック板Ｒ１を基台Ｙ７に着脱可能に保持することにより基台Ｙ７を支持レール３１に対して取り外し不能にロックさせるための止着具たる雄ネジ部材Ｒ２とを具備してなる。また、ロック板Ｒ１と基台Ｙ７との間には位置決め機構を設けている。ロック板Ｒ１は、その一部に、上方に突出するとともに巾方向に伸びる位置決め突条Ｒ１１を有する。この突条Ｒ１１の突出端の前後両縁部には、断面視円弧状に面取りを施している。さらに、ロック板Ｒ１には、位置決め突条Ｒ１１内を上下に貫通するネジ挿通孔Ｒ１ｂを設けている。また、この位置決め突条Ｒ１１を基台Ｙ７の下面に設けた位置決め凹部Ｙ７ａに嵌め合わせることにより、ロック板Ｒ１の基台Ｙ７に対する位置決めを行うことができるようにしている。すなわち、これら位置決め突条Ｒ１１と位置決め凹部Ｙ７ａとを利用して位置決め機構を形成している。このロック板Ｒ１は、基台Ｙ７に保持された状態で後端部Ｒ１ａが基台Ｙ７の後端面よりも後方に突出している。雄ネジ部材Ｒ２は、ロック板Ｒ１のネジ挿通孔Ｒ１ｂを経由して基台Ｙ７に設けた雌ネジ穴Ｙ７ｂに螺合可能である。
【００７５】
基台Ｙ７のオプション取付装置３への取り付けは、以下の手順で行う。まず、基台Ｙ７の上支持突条７１を支持レール３１の頂板３１１の突条３１１ｂに係り合わせる。次いで、ロック板Ｒ１の後端部Ｒ１ａを支持レール３１の底板３１２と給電レール３２の下面との間に挿入するとともに、このロック板Ｒ１が基台Ｙ７の下面に当たり、位置決め突条Ｒ１１が基台Ｙ７の位置決め凹部Ｙ７ａに嵌まり合い、ロック板Ｒ１のネジ挿通孔Ｒ１ｂが基台Ｙ７の雌ネジ穴７ｂと重なり合うまでロック板Ｒ１を巾方向にスライドさせる。そして、雄ネジ部材Ｒ２をロック板Ｒ１のネジ挿通孔Ｒ１ｂに挿し通して基台Ｙ７の雌ネジ穴７ｂに螺着し、ロック板Ｒ１を基台Ｙ７に保持させることにより、前記基台Ｙ７を支持レール３１に対して取り外し不能にロックする。ここで、ロック板Ｒ１は、基台Ｙ７に保持させた状態で、基台Ｙ７の一部をなすような形状に形成してある。換言すれば、このロック板Ｒ１を基台Ｙ７に取り付けた状態で、ロック板Ｒ１の下面と基台Ｙ７の外面とが面一に連続するようにロック板Ｒ１及び基台Ｙ７の形状を設定している。
【００７６】
基台Ｙ７のオプション取付装置３からの取り外し作業は、前段で述べた取り付け操作と逆の操作により行う。
【００７７】
図１５に示す例に係るロック機構Ｒを採用すれば、ロック板Ｒ１を基台Ｙ７に対して着脱することにより、オプション本体の基台Ｙ７を支持レール３１に対して着脱することができる。部材の弾性変形を利用することなく基台Ｙ７の支持レール３１に対する着脱を行うことができるので、剛性が高く弾性変形しにくい部材により基台Ｙ７を形成することもできる。そのため、重量の大きなオプション本体を安定して取り付けることができ、また、外力が加わった場合にオプション部材がオプション取付装置３から脱落することを抑制又は防止できる。
【００７８】
また、ロック板Ｒ１の位置決め突条Ｒ１１の突出端の前後両縁部に断面視円弧状に面取りを施しているので、ロック板Ｒ１を基台Ｙ７の下面に当て位置決め突条Ｒ１１を基台Ｙ７の位置決め凹部Ｙ７ａに嵌めた状態でロック板Ｒ１を巾方向にスライドさせる際の引っかかりを抑制できる。
【００７９】
なお、図１５に示す例では、オプション本体にロック部材を止着具により取り付けるようにしていたが、支持レール側にロック部材を止着具により着脱可能に取り付けるようにしてもよい。
【００８０】
さらに、前述した第一実施形態におけるタスクライトにおいて、装脱操作を容易にしたい場合や、又は比較的剛性の高い材料を用いて笠４２を作成したい場合には、図１６に分解斜視図を示すような構成を採用してもよい。図１６における例では、弾性変形を助長するためのスリット４２ｓ間のみに、係合凹部４２ａを設けている。なお、以下の説明においては、第一実施形態におけるものに対応する各部位には同一の名称及び符号を付している。
【００８１】
このような構成によれば、笠４２の係合凹部４２ａ近傍の位置を下方に押して弾性変形させることにより、係合凹部４２ａと支持レール２１の係止爪２１１ｂとの係り合いを解除させ、タスクライト４を水平方向前方に抜き取ることにより、オプション本体たるタスクライト４をオプション取付装置２の支持レール２１から取り外すことができる。
【００８２】
その他、本発明の趣旨を損ねない範囲で、種々に変更してよい。
【符号の説明】
【００８３】
１…天板付家具（家具本体）
２、３…オプション取付装置
２１、３１…支持レール
２２、３２…給電レール
２３ａ、２３ｂ、３３ａ、３３ｂ…給電用電極
４…タスクライト（オプション部材）
４１３…挿入部
４１３ａ、４１３ｂ…受電用電極
５…照明装置（オプション部材）
６３…挿入部
６３ａ、６３ｂ…受電用電極
【図１】
0005597847.tif 000002
【図２】
0005597847.tif 000003
【図３】
0005597847.tif 000004
【図４】
0005597847.tif 000005
【図５】
0005597847.tif 000006
【図６】
0005597847.tif 000007
【図７】
0005597847.tif 000008
【図８】
0005597847.tif 000009
【図９】
0005597847.tif 000010
【図１０】
0005597847.tif 000011
【図１１】
0005597847.tif 000012
【図１２】
0005597847.tif 000013
【図１３】
0005597847.tif 000014
【図１４】
0005597847.tif 000015
【図１５】
0005597847.tif 000016
【図１６】
0005597847.tif 000017